(57)【要約】【課題】放送システムの映像障害、ＣＡＴＶ回線のケーブル損傷、及び衛星放送設備における障害発生を自動的に検出して、対応処置を迅速に行って、配信する映像の性能向上を図る。【解決手段】ＣＡＴＶ受像機又は衛星放送受信機１１から送信される映像信号を、ＣＡＴＶ局１の送信端、各中継局２１〜２ｎの送信端及び各中継局２１〜２ｎ毎に接続してある視聴者宅４１〜４ｎ，５１〜５ｎ，６１〜６ｎのＣＡＴＶ回線のそれぞれの末端付近に動き停止検出装置１２（代表例）を設置しておき、映像の異常検出、ケーブルの損傷及び衛星放送設備の障害を検出し、ＩＰ通信手段によってネットワーク１３経由で監視センター１４に障害警報を送信させる。【選択図】        図１
2004356717.tif 000002
【特許請求の範囲】
【請求項１】
ＣＡＴＶ局に接続した複数の中継局を介して、それぞれの中継局ごとに有線ケーブルによって接続した複数の視聴者宅に設けてあるテレビを、ＣＡＴＶ局からの放送映像を受信させるように構成したＣＡＴＶシステムにおいて、
ＣＡＴＶ局から各中継局への送信端、各中継局からぞれぞれの視聴者宅への有線ケーブルの送信端、及びそれぞれの有線ケーブルの末端付近に設けた映像の動き停止検出機能を備えた複数の放送映像監視装置によって、前記ＣＡＴＶ局から配信されてくる映像信号を常時監視しておき、何れかの放送映像監視装置の映像が予め設定してある時間、映像の動きが停止したことを検出したときは、ＩＰ通信手段によりネットワークを介して監視センターに通報するようにしたことを特徴とする放送映像監視装置。
【請求項２】
動き停止検出機能を備えた前記放送映像監視装置を使用して、衛星放送設備の障害を検出したときは、ＩＰ通信手段によりネットワーク経由で前記障害発生を監視センターに通報するようにしたことを特徴とする衛星放送設備における放送映像監視システム。
【請求項３】
動き停止検出機能を備えた前記放送映像監視装置を使用して、ＣＡＴＶ回線のケーブルの損傷を検出したときは、ＩＰ通信手段によりネットワーク経由で障害発生を監視センターに通報するようにしたことを特徴とする請求項１に記載の放送映像監視システム。
【請求項４】
衛星放送設備の障害発生やＣＡＴＶ回線のケーブル損傷を検出したときは、前記衛星放送設備における障害発生やケーブル損傷が発生した時点における最終の映像を出し続け、その最終静止映像を送信させることを特徴とする請求項１又は２と３に記載の放送映像監視システム。
【請求項５】
前記動き検出機能を備えた放送映像監視装置には、受信映像の異常を検出してネットワーク経由で監視センターに映像障害警報を送信すると共に、設備してある接点出力により障害警報（アラーム、ランプの点滅動作等）を出力するように構成したことを特徴とする請求項１〜４に記載の放送映像監視システム。
【発明の詳細な説明】
【０００１】
【発明の属する技術分野】
本発明は、映像の動き停止を検出可能な装置を使用して、映像放送設備を監視する装置に関する。
【０００２】
【従来の技術】
従来技術による動き検出画像では、主として画像の動きの差を検出して、被写体の動き監視を行うものであって、連続した２つの画像における被写体の動きの差から被写体の動き監視を行うものである。しかし乍ら、前記動き検出画像は、被写体の動きの差が０となり、被写体が停止したことを検出することはできない。（特許文献１参照）
【０００３】
【特許文献１】
特開平１１−３４１４７３号公報
【０００４】
【発明が解決しようとする課題】
即ち、従来のアナログ式の映像伝送では、映像が何らかの原因で停止すると、ホワイトノイズの画面になり、このホワイトノイズの検知装置を使用して、「しばらくお待ち下さい」の静止画、又は映像断時用のつなぎ映像に変わる。
【０００５】
ところが、ディジタル式の映像伝送になると、ＭＰＥＧ−２（Ｍｏｖｉｎｇ  Ｐｉｃｔｕｒｅ  Ｅｘｐｅｒｔｓ  Ｇｒｏｕｐ  ｐｈａｓｅ  ２）等の圧縮伝送になるので、末端ではデコーダで非圧縮映像に「解凍」する必要がある。その際、各フレームを再生し、一旦デコーダ装置のメモリーに蓄積し、映像断があった場合は、軽微な瞬間的な時はブロックノイズと呼ばれるモザイク状の映像が出る。数秒以上に亙る映像断の時は、メモリー中にある最終フレームを出し続け、静止画像となる。ディジタル圧縮伝送画像では、ＭＰＥＧ−２等の圧縮状態のまま、複数番組を多重伝送しているので、全体の伝送停止であれば直ちに停止したことが分かるが、各番組単位での伝送停止を検出するには、ＭＰＥＧ−２等の「解凍」により画像そのものを人の目によって監視して、画像が停止したことを検出する方法しか現状ではない。
特に、ＣＡＴＶ等ではチャンネル数が多いため、監視用受像機を多数用意して、複数の人によって映像を監視して、映像停止を検出する方法しか、現状では対策がない。
【０００６】
【課題を解決するための手段】
上述した課題を解決するために、本発明に係る動き停止検出機能を備えた放送映像監視装置は、ＣＡＴＶ放送においては、ＣＡＴＶ局から各中継局への送信端、各中継局の送信端、及び各中継局から視聴者宅への有線ケーブルの末端付近に前記監視装置を設置しておき、この監視装置は映像停止を検出して警報を送出する機能を備えたものとし、ネットワークに接続しておく。
【０００７】
映像停止が発生したことを検出して警報が送出されると、ＩＰ通信手段を介してネットワーク経由で監視センターに設置してある警報受信装置に障害警報を送信し、ケーブルや放送設備に障害が発生したことを通報する。
数百チャンネルもある衛星放送においては、それぞれのチャンネルを人手で監視するのは不可能であるので、上述した監視装置を使用することにより、監視の自動化と省力化を図ることが可能になる。
【０００８】
なお、ＣＡＴＶ回線のケーブル損傷や、衛星放送設備の障害に対しては、動き検出機能を有する放送映像監視装置をＣＡＴＶ局と各中継局の送信端、及び視聴者宅への有線ケーブルの末端付近に設置しておくと、障害発生時点における最終の映像を出し続けると共に、映像障害警報を監視センターに送信することにより、監視の自動化、省力化を図ることができる。
【０００９】
【発明の実施の形態】
以下、本発明に係る好適な実施例を図面を参照しながら説明する。
図１は、本発明のＣＡＴＶ放送システムの回路構成を示すブロック図である。ＣＡＴＶ局１には複数の中継局２１〜２ｎが接続してあり、それぞれの中継局２１〜２ｎには視聴者宅４１〜４ｎ，５１〜５ｎ，６１〜６ｎ等に設置してあるテレビが接続してあって、ＣＡＴＶ放送システムを構成している。
また、ＣＡＴＶ局１から各中継局２１〜２ｎへの送信端には監視装置８１〜８ｎが設置してあり、各中継局２１〜２ｎから視聴者宅４１〜４ｎ，５１〜５ｎ，６１〜６ｎの送信端には監視装置７１〜７ｎが設置してある。
さらに、各中継局２１〜２ｎから視聴者宅４１〜４ｎ，５１〜５ｎ，６１〜６ｎの有線ケーブルの末端付近には監視装置３１〜３ｎが設置してある。
【００１０】
ＣＡＴＶ局や衛星放送設備の送信端、各中継局の送信端、及び有線ケーブルの末端付近に設置されている動き停止検出装置（映像配信機能付）の警報システムの構成例は、図２に示す通りである。
ＣＡＴＶ局や衛星放送設備に設置してある［ＣＡＴＶ受像機又は衛星放送受信機］１１からは、常時映像信号が中継局を介して視聴者宅のテレビに送出されているので、ＣＡＴＶ局と各中継局の送信端及びそれぞれの有線ケーブルの末端付近に設置してある動き停止検出装置（映像配信機能付）１２にも映像信号が入力しており、常時放送映像の異常の有無を監視している。
【００１１】
動き停止検出装置（映像配信機能付）１２は、常時映像信号を受信して監視しているが、映像信号に異常（映像の動きが一定時間停止している状態、即ち、配信されてくる映像が変化せず固定された状態）が検出されたときは、ＩＰ通信手段によってネットワーク（ブロードバンド）１３経由で、映像の障害発生を監視センター１４に通報する。
また、前記動き停止検出装置１２には接点出力が設けてあり、障害警報（アラームやランプの点滅その他）を所要の箇所に送信することができる。
【００１２】
ＣＡＴＶ局１に接続された中継局２１〜２ｎ及びそれぞれの中継局２１〜２ｎから視聴者宅４１〜４ｎ，５１〜５ｎ，６１〜６ｎへ接続されているＣＡＴＶケーブルに損傷が発生した場合や、衛星放送設備に障害が発生した場合には、監視装置３１〜３ｎ，７１〜７ｎ，８１〜８ｎで示す動作停止検出装置（映像配信機能付）１２から障害発生時点における最終の映像を出し続けると共に、映像障害警報をネットワーク（ブロードバンド）１３を介してＩＰ通信手段によって監視センター１４に送信することができる。
【００１３】
【発明の効果】
以上説明したように、本発明に係る放送映像監視装置は、ＣＡＴＶシステムを構成するＣＡＴＶ局の送信端、各中継局の送信端及び各中継局からの有線ケーブルの末端の付近に映像の動き停止検出機能を備えた放送映像監視装置を設置しておき、ＣＡＴＶ局から配信される映像の異常を検出して、ネットワークを介して監視センターに障害警報を送信すると共に、ＣＡＴＶ回線のケーブルの損傷や衛星放送設備の障害に対しても監視センターに警報を送信するように構成しているので、障害除去の迅速化を図ることができ、配信した映像の性能向上を図ると共に、省力化にも役立つものである。
【図面の簡単な説明】
【図１】本発明のＣＡＴＶ放送システムの回路構成を示すブロック図。
【図２】ＣＡＴＶ局や衛星放送設備に設けてある受信機からの映像信号を常時監視する動き停止検出装置、及び監視センターとの間に設けられたネットワークとの関係を示す説明図。
【符号の説明】
１  ＣＡＴＶ局
２１〜２ｎ  中継局
３１〜３ｎ，７１〜７ｎ，８１〜８ｎ  監視装置
４１〜４ｎ，５１〜５ｎ，６１〜６ｎ  視聴者宅
１１  ＣＡＴＶ受像機又は衛星放送受信機
１２  動き停止検出装置（映像配信機能付）
１３  ネットワーク
１４  監視センター
【図１】
2004356717.tif 000003
【図２】
2004356717.tif 000004